(57)【要約】【課題】転写ローラを像担持体に対して押圧する押圧力の作用方向を一定化し易くする。【解決手段】被転写材を像担持体１側に押し付けることによりその像担持体に担持されたトナー像を被転写材に転写可能な転写ローラ８と、その転写ローラを回転自在に支持する支持具９とを備え、支持具が像担持体に対する遠近方向に移動可能に保持され、転写ローラを像担持体に対して押圧するコイルスプリング２３が装着されている画像形成装置であって、支持具を像担持体に対する遠近方向に直線移動するように案内するガイド部２２が設けられ、コイルスプリングは、そのスプリング軸芯Ｘを支持具の移動方向と平行にして装着されている。【選択図】図３
2010128319.tif 000002
【特許請求の範囲】
【請求項１】
被転写材を像担持体側に押し付けることによりその像担持体に担持されたトナー像を被転写材に転写可能な転写ローラと、その転写ローラを回転自在に支持する支持具とを備え、
前記支持具が前記像担持体に対する遠近方向に移動可能に保持され、
前記転写ローラを前記像担持体に対して押圧するコイルスプリングが装着されている画像形成装置であって、
前記支持具を前記像担持体に対する遠近方向に直線移動するように案内するガイド部が設けられ、
前記コイルスプリングは、そのスプリング軸芯を前記支持具の移動方向と平行にして装着されている画像形成装置。
【発明の詳細な説明】
【技術分野】
【０００１】
本発明は、被転写材を像担持体側に押し付けることによりその像担持体に担持されたトナー像を被転写材に転写可能な転写ローラと、その転写ローラを回転自在に支持する支持具とを備え、前記支持具が前記像担持体に対する遠近方向に移動可能に保持され、前記転写ローラを前記像担持体に対して押圧するコイルスプリングが装着されている画像形成装置に関する。
【背景技術】
【０００２】
従来の上記画像形成装置では、像担持体としての転写ベルトがバックアップローラに巻き掛けられ、バックアップローラに巻き掛けられている転写ベルト部分に対する遠近方向に直線移動するように支持具を案内するガイド部が揺動アームに設けられ、支持具に支持された転写ローラを転写ベルト部分に対して押圧するコイルスプリングが、支持具と揺動アームとに亘って装着されている。
そして、揺動アームの揺動操作で、転写ローラを、円弧状の移動軌跡に沿って、コイルスプリングの付勢力で転写ベルト部分に対して押圧する転写位置と、転写ローラを転写ベルト部分から離間している非転写位置とに切り替え移動させることができるように構成してある（例えば、特許文献１参照。）。
【０００３】
【特許文献１】特開１０−２９３４７８号公報
【発明の開示】
【発明が解決しようとする課題】
【０００４】
このため、揺動アームや転写ローラの組み付け誤差などに起因して、転写位置におけるバックアップローラに対する転写ローラの位置が、その転写ローラの円弧状の移動軌跡に沿って所定位置からずれると、押圧力の転写ベルト部分に対する作用方向が微妙に変わるので、画像品質を一定に維持し難い欠点がある。
本発明は上記実情に鑑みてなされたものであって、転写ローラを像担持体に対して押圧する押圧力の作用方向を一定化し易くすることを目的とする。
【課題を解決するための手段】
【０００５】
本発明の第１特徴構成は、被転写材を像担持体側に押し付けることによりその像担持体に担持されたトナー像を被転写材に転写可能な転写ローラと、その転写ローラを回転自在に支持する支持具とを備え、前記支持具が前記像担持体に対する遠近方向に移動可能に保持され、前記転写ローラを前記像担持体に対して押圧するコイルスプリングが装着されている画像形成装置であって、前記支持具を前記像担持体に対する遠近方向に直線移動するように案内するガイド部が設けられ、前記コイルスプリングは、そのスプリング軸芯を前記支持具の移動方向と平行にして装着されている点にある。
【０００６】
〔作用及び効果〕
転写ローラを回転自在に支持する支持具は、ガイド部で像担持体に対する遠近方向に直線移動するように案内される。
転写ローラを像担持体に対して押圧するコイルスプリングは、そのスプリング軸芯を支持具の移動方向と平行にして装着されている。
従って、転写位置におけるバックアップローラに対する転写ローラの軸芯位置が、支持具の移動方向に沿って所定位置からずれていても、転写ローラを像担持体に対して押圧する押圧力の作用方向を一定化し易い。
【発明を実施するための最良の形態】
【０００７】
以下に本発明の実施の形態を図面に基づいて説明する。
〔第１実施形態〕
図１は、複写機やプリンター，ファックスなどのフルカラー電子写真式画像形成装置における転写部の要部を示し、中間転写ベルトユニットＡと、転写搬送ユニットＢとを備えている。
【０００８】
中間転写ベルトユニットＡは、像担持体としての中間転写ベルト１と、中間転写ベルト１を巻き掛けてある駆動ローラ２，従動ローラ３，テンションローラ４及び二次転写対向ローラ５とを備えている。
【０００９】
中間転写ベルト１は、イエロー，マゼンダ，シアン、ブラックの各色毎に対応する感光体ドラム６ａ〜６ｄと一次転写ローラ７ａ〜７ｄとで挟持され、各感光体ドラム６ａ〜６ｄ毎に形成されたトナー像が順に重ねて転写される。
【００１０】
転写搬送ユニットＢは、中間転写ベルト１を挟んで二次転写対向ローラ５に対向する二次転写ローラ８と、二次転写ローラ８を回転自在に支持する支持具９とを備え、二次転写ローラ８の外周部は所定のニップ部を形成できるようにゴムなどの軟質材で形成してある。
【００１１】
支持具９は、二次転写ローラ８を回転自在に支持する軸受け１０と、軸受け１０の下部を固定してある支持板部１１とを備えている。
【００１２】
二次転写ローラ８は、中間転写ベルト１との間に挟持した被転写材としての記録紙Ｐを中間転写ベルト１の駆動回動で搬送しながら、その記録紙Ｐを中間転写ベルト１側に押し付けることにより、その中間転写ベルト１に担持されているトナー像を記録紙Ｐに転写できるように設けてある。
【００１３】
二次転写ローラ８は、その回転軸部材１２の両端側の夫々が軸受け１０を介して支持具９に支持されており、各支持具９を中間転写ベルト１に対する遠近方向に直線移動可能に保持する一対のガイドユニット１３が設けられている（図２では片側のガイドユニット１３のみを示している。）。
【００１４】
ガイドユニット１３の夫々は、転写搬送ユニットＢの周壁部材（静止部材の一例）１４にビス止めされる基板部１５と、基板部１５に形成された一対の互いに平行な第１ガイド部１６に沿って中間転写ベルト１に対する遠近方向（上下方向）に直線移動可能な可動部材１７と、可動部材１７を第１ガイド部１６に沿って昇降移動させる昇降操作機構１８とを備えている。
【００１５】
可動部材１７は、第１ガイド部１６の夫々に摺接移動自在に嵌合される嵌合部１９を備えた一対の被案内部２０と、一対の被案内部２０の下端側どうしを連結する底板部２１とを備えた側面視で略上向きコの字状に形成されている。
【００１６】
支持具９は可動部材１７に装着してあり、従って、支持具９は第１ガイド部１６に沿って可動部材１７と共に中間転写ベルト１に対する遠近方向に直線移動するように案内される。
【００１７】
一対の被案内部材２０の互いに対向する部位には、支持具９を可動部材１７に対してその移動方向と同じ方向に相対移動可能に案内する第２ガイド部２２を設けてあり、二次転写ローラ５を中間転写ベルト１に対して押圧するコイルスプリング２３が、そのスプリング軸芯Ｘを支持具９の移動方向と平行にして、支持具９と底板部２１との間に装着されている。
【００１８】
コイルスプリング２３の内側には、その伸縮方向をスプリング軸芯Ｘに沿う方向に規制するロッド２４がスプリング軸芯Ｘと同芯状に装着され、このロッド２４は、一端側が支持具９の支持板部１１に固定され、他端側の可動部材１７からの出退を許容する貫通孔２５が底板部２１に形成されている。
【００１９】
昇降操作機構１８は、回転操作軸２６の回転操作で回転する偏芯カム２７のカム面を底板部２１の下面に接触させて、偏芯カム２７の回転操作により可動部材１７を第１ガイド部１６に沿って昇降移動させるように構成してある。
【００２０】
図３（ａ）に示すように二次転写ローラ８が中間転写ベルト１から離間する非転写位置に移動している状態から、偏芯カム２７の大径カム面で底板部２１の下面を押圧するべく、偏芯カム２７を回転させるに伴って、可動部材１７が支持具９と共に中間転写ベルト１に向けて上昇移動する。
【００２１】
二次転写ローラ８が中間転写ベルト１に接触した状態から大径カム面で底板部２１の下面を更に押圧するに伴って、コイルスプリング２３が圧縮変形されながら、可動部材１７が中間転写ベルト１に向けて更に上昇移動し、図３（ｂ）に示すように、二次転写ローラ８がコイルスプリング２３の付勢力で中間転写ベルト１に押圧された転写位置に移動する。
【００２２】
図３（ｂ）に示すように二次転写ローラ８が転写位置に移動している状態から、偏芯カム２７の小径カム面を底板部２１の下面に接触させるべく、偏芯カム２７を回転させるに伴って、可動部材１７が支持具９と共に自重で下降し、図３（ａ）に示すように二次転写ローラ８が非転写位置に移動する。
【００２３】
〔第２実施形態〕
図４は第１実施形態における昇降操作機構１８の変形例を示し、可動部材１７における底板部２１に形成した下向き傾斜面２８と、その下向き傾斜面２８に摺接される上向き傾斜面２９を備えた楔部材３０と、楔部材３０の移動方向を水平方向に案内するガイド板３１と、楔部材３０を可動部材１７とガイド板３１との間に入り込むように水平方向に移動させる偏芯カム２７とを設けてある。
【００２４】
ガイド板３１は基板部１５に固定してあり、図４（ａ）に示すように二次転写ローラ８が中間転写ベルト１から離間する非転写位置に移動している状態から、偏芯カム２７の大径カム面で楔部材３０の側面を押圧するべく、偏芯カム２７を回転させるに伴って、可動部材１７が支持具９と共に中間転写ベルト１に向けて上昇移動する。
【００２５】
二次転写ローラ８が中間転写ベルト１に接触した状態から大径カム面で楔部材３０の側面を更に押圧するに伴って、コイルスプリング２３が圧縮変形されながら、可動部材１７が中間転写ベルト１に向けて更に上昇移動し、図４（ｂ）に示すように、二次転写ローラ８がコイルスプリング２３の付勢力で中間転写ベルト１に押圧された転写位置に移動する。
【００２６】
図４（ｂ）に示すように二次転写ローラ８が転写位置に移動している状態から、偏芯カム２７の小径カム面を楔部材３０の側面に接触させるべく、偏芯カム２７を回転させるに伴って、可動部材１７が支持具９と共に自重で下降し、図４（ａ）に示すように二次転写ローラ８が非転写位置に移動する。
その他の構成は第１実施形態と同様である。
【００２７】
〔第３実施形態〕
図５は第１実施形態における昇降操作機構１８の変形例を示し、可動部材１７の底板部２１を押し上げるための揺動アーム３２と、揺動アーム３２を上下に揺動させる偏芯カム２７とを設けてある。
【００２８】
揺動アーム３２は基板部１５に揺動軸芯Ｙ周りで上下揺動自在に支持してあり、偏芯カム２７は回転操作軸２６を介して基板部１５に回転操作自在に支持してある。
【００２９】
図５（ａ）に示すように二次転写ローラ８が中間転写ベルト１から離間する非転写位置に移動している状態から、偏芯カム２７の大径カム面で揺動アーム３２を上向きに揺動させるべく、偏芯カム２７を回転させるに伴って、可動部材１７が支持具９と共に中間転写ベルト１に向けて上昇移動する。
【００３０】
二次転写ローラ８が中間転写ベルト１に接触した状態から大径カム面で揺動アーム３２を上向きに更に揺動させるに伴って、コイルスプリング２３が圧縮変形されながら、可動部材１７が中間転写ベルト１に向けて更に上昇移動し、図５（ｂ）に示すように、二次転写ローラ８がコイルスプリング２３の付勢力で中間転写ベルト１に押圧された転写位置に移動する。
【００３１】
図５（ｂ）に示すように二次転写ローラ８が転写位置に移動している状態から、偏芯カム２７の小径カム面を揺動アーム３２に接触させるべく、偏芯カム２７を回転させるに伴って、可動部材１７が支持具９と共に自重で下降し、図５（ａ）に示すように、二次転写ローラ８が非転写位置に移動する。
その他の構成は第１実施形態と同様である。
【００３２】
〔その他の実施形態〕
１．本発明による画像形成装置は、像担持体としての感光体ドラム側に押し付けられる転写ローラが支持具に回転自在に支持されていてもよい。
２．本発明による画像形成装置は、像担持体としての感光体ドラムに担持されたトナー像が転写される中間転写ベルトを被転写材として設けてあり、中間転写ベルトを感光体ドラム側に押し付けることにより、その感光体ドラムに担持されたトナー像を中間転写ベルトに転写可能な転写ローラが支持具に回転自在に支持されていてもよい。
【図面の簡単な説明】
【００３３】
【図１】画像形成装置における転写部の要部を示す側面図
【図２】要部の斜視図
【図３】要部の側面図
【図４】第２実施形態の要部の側面図
【図５】第３実施形態の要部の側面図
【符号の説明】
【００３４】
１  像担持体
８  転写ローラ
９  支持具
２２  ガイド部
２３  コイルスプリング
Ｐ  被転写材
Ｘ  スプリング軸芯
【図１】
2010128319.tif 000003
【図２】
2010128319.tif 000004
【図３】
2010128319.tif 000005
【図４】
2010128319.tif 000006
【図５】
2010128319.tif 000007